(57)【特許請求の範囲】
【請求項１】
情報処理装置であって、
受付部と、特定部とを備え、
前記受付部は、被験者の身体情報を受付可能に構成され、
前記身体情報は、前記被験者による主観的評価を含み、
前記特定部は、
前記身体情報に基づいて、フレイルのオッズ比を算出する処理と、
前記オッズ比に基づいてフレイルの発生率を算出する処理と、
前記発生率に基づいてフレイルが発生するまでの年数を算出する処理と、
前記被験者の年齢に前記年数を加えた値を、前記被験者の膝に関する健康状態を年齢で表した指標として特定する処理と
を実行する
情報処理装置。
【請求項２】
情報処理装置であって、
受付部と、特定部とを備え、
前記受付部は、被験者の身体情報を受付可能に構成され、
前記身体情報は、前記被験者による主観的評価を含み、
前記特定部は、
前記身体情報に基づいて、フレイルのオッズ比を算出する処理と、
前記オッズ比に基づいてフレイルの発生率を算出する処理と、
前記発生率に基づいてフレイルが発生するまでの年数を算出する処理と、
健康寿命から前記年数を減じた値を、前記被験者の膝に関する健康状態を年齢で表した指標として特定する処理と
を実行する
情報処理装置。
【請求項３】
請求項１又は請求項２に記載の情報処理装置において、
前記身体情報は、前記被験者の体格指数を含む
情報処理装置。
【請求項４】
請求項１乃至請求項３のいずれか１項に記載の情報処理装置において、
前記身体情報は、磁気共鳴画像装置による前記被験者の検査結果を含む
情報処理装置。
【請求項５】
請求項１乃至請求項４のいずれか１項に記載の情報処理装置において、
前記主観的評価は、ＫＯＯＳのうち日常生活に関する項目のスコアの少なくとも一部を含む
情報処理装置。
【請求項６】
コンピュータを情報処理装置として動作させるプログラムであって、
コンピュータを請求項１乃至請求項５のいずれか１項に記載の情報処理装置として機能させる
プログラム。
【発明の詳細な説明】
【技術分野】
【０００１】
本発明は、情報処理装置及びプログラムに関する。
【背景技術】
【０００２】
膝の診断を支援するための技術が提案されている（例えば、特許文献１を参照）。
【先行技術文献】
【特許文献】
【０００３】
【特許文献１】特開２０２１−９７８６４号公報
【発明の概要】
【発明が解決しようとする課題】
【０００４】
ところで、膝の検査を受けた被験者にとっては、その検査結果を理解することが困難である場合がある。例えば、健康診断の一部として膝の検査を行った場合、その検査結果は、書類で通知されることが一般的であり、医師の説明を受けずに被験者自身が検査結果を理解することが困難となる。
【０００５】
本発明では上記事情を鑑み、膝に対する検査の結果を被験者自身で理解しやすい態様で的供することのできる情報処理装置及びプログラムを提供することとした。
【課題を解決するための手段】
【０００６】
本発明の一態様によれば、情報処理装置が提供される。この情報処理装置は、受付部と、特定部とを備える。受付部は、被験者の身体情報を受付可能に構成される。身体情報は、被験者による主観的評価を含む。特定部は、身体情報に基づいて、被験者の膝に関する健康状態を年齢で表した指標を特定可能に構成される。
【０００７】
本発明の一態様によれば、被験者が検査結果を容易に把握することが可能となる。
【図面の簡単な説明】
【０００８】
【図１】情報処理装置１の構成を示した図である。
【図２】情報処理装置１’を含むシステム１００の構成例を示した図である。
【図３】情報処理装置１の機能的な構成を示すブロック図である。
【図４】情報処理装置１の動作の流れを示すアクティビティ図である。
【図５】問診票の例を示した図である。
【図６】フレイルを説明するための図である。
【図７】検査結果の出力例を示した図である。
【発明を実施するための形態】
【０００９】
以下、図面を用いて本発明の実施形態について説明する。以下に示す実施形態中で示した各種特徴事項は、互いに組み合わせ可能である。
【００１０】
ところで、本実施形態に登場するソフトウェアを実現するためのプログラムは、コンピュータが読み取り可能な非一時的な記録媒体（Ｎｏｎ−Ｔｒａｎｓｉｔｏｒｙ  Ｃｏｍｐｕｔｅｒ−Ｒｅａｄａｂｌｅ  Ｍｅｄｉｕｍ）として提供されてもよいし、外部のサーバからダウンロード可能に提供されてもよいし、外部のコンピュータで当該プログラムを起動させてクライアント端末でその機能を実現（いわゆるクラウドコンピューティング）するように提供されてもよい。
【００１１】
また、本実施形態において「部」とは、例えば、広義の回路によって実施されるハードウェア資源と、これらのハードウェア資源によって具体的に実現されうるソフトウェアの情報処理とを合わせたものも含みうる。また、本実施形態においては様々な情報を取り扱うが、これら情報は、例えば電圧・電流を表す信号値の物理的な値、０又は１で構成される２進数のビット集合体としての信号値の高低、又は量子的な重ね合わせ（いわゆる量子ビット）によって表され、広義の回路上で通信・演算が実行されうる。
【００１２】
また、広義の回路とは、回路（Ｃｉｒｃｕｉｔ）、回路類（Ｃｉｒｃｕｉｔｒｙ）、プロセッサ（Ｐｒｏｃｅｓｓｏｒ）、及びメモリ（Ｍｅｍｏｒｙ）等を少なくとも適当に組み合わせることによって実現される回路である。すなわち、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等を含むものである。
【００１３】
１．情報処理装置の構成
図１は、情報処理装置１の構成を示した図である。同図に示すように、情報処理装置１は、処理部１１と、記憶部１２と、一時記憶部１３と、外部装置接続部１４と、通信部１５とを有しており、これらの構成要素が情報処理装置１の内部において通信バス１６を介して電気的に接続されている。
【００１４】
処理部１１は、例えば、中央処理装置（Ｃｅｎｔｒａｌ  Ｐｒｏｃｅｓｓｉｎｇ  Ｕｎｉｔ：ＣＰＵ）により実現されるもので、記憶部１２に記憶された所定のプログラムに従って動作し、種々の機能を実現する。
【００１５】
記憶部１２は、様々な情報を記憶する不揮発性の記憶媒体である。これは、例えばハードディスクドライブ（Ｈａｒｄ  Ｄｉｓｋ  Ｄｒｉｖｅ：ＨＤＤ）やソリッドステートドライブ（Ｓｏｌｉｄ  Ｓｔａｔｅ  Ｄｒｉｖｅ：ＳＳＤ）等のストレージデバイスにより実現される。なお、記憶部１２は、情報処理装置１と通信可能な別の装置に配するようにすることも可能である。
【００１６】
一時記憶部１３は、揮発性の記憶媒体である。これは、例えばランダムアクセスメモリ（Ｒａｎｄｏｍ  Ａｃｃｅｓｓ  Ｍｅｍｏｒｙ：ＲＡＭ）等のメモリにより実現され、処理部１１が動作する際に一時的に必要な情報（引数、配列等）を記憶する。
【００１７】
外部装置接続部１４は、例えばユニバーサルシリアルバス（Ｕｎｉｖｅｒｓａｌ  Ｓｅｒｉａｌ  Ｂｕｓ：ＵＳＢ）や高精細度マルチメディアインターフェース（Ｈｉｇｈ−Ｄｅｆｉｎｉｔｉｏｎ  Ｍｕｌｔｉｍｅｄｉａ  Ｉｎｔｅｒｆａｃｅ：ＨＤＭＩ）といった規格に準じた接続部であり、キーボード等の入力装置やモニタ等の表示装置を接続可能としている。
【００１８】
通信部１５は、例えばローカルエリアネットワーク（Ｌｏｃａｌ  Ａｒｅａ  Ｎｅｔｗｏｒｋ：ＬＡＮ）規格に準じた通信手段であり、情報処理装置１とローカルエリアネットワークやこれを介したインターネット等のネットワークとの間の通信を実現する。
【００１９】
なお、情報処理装置１には、汎用のサーバ向けのコンピュータやパーソナルコンピュータ等を利用することが可能であり、複数のコンピュータを用いて情報処理装置１を構成することも可能である。
【００２０】
ここで、情報処理装置１をサーバとして利用する場合の構成例について説明する。図２は、情報処理装置１’を含むシステム１００の構成例を示した図である。同図に示すように、システム１００は、情報処理装置１’と複数の端末２とが、ネットワーク３を介して通信可能に接続されている。情報処理装置１’は、情報処理装置１に相当するものであり、情報処理装置１と同様の機能を有するものである。なお、情報処理装置１の機能については後述する。
【００２１】
端末２は、それぞれ、情報処理装置１’に対して、身体情報等の入力を行うとともに、検査結果である指標等を情報処理装置１’から取得する。ネットワーク３は、例えば、インターネットを含むネットワークであり、情報処理装置１’と端末２のそれぞれを通信可能にする。
【００２２】
なお、情報処理装置１’と端末２のそれぞれは、いずれも、コンピュータを利用したものであり、その構成は、情報処理装置１と同様のものであるため、その詳細の説明は省略する。
【００２３】
２．情報処理装置１の機能
次に、情報処理装置１の機能について説明する。情報処理装置１は、入力された被験者の身体情報に基づいて、当該被験者の膝に関する健康状態を年齢で表した指標を出力するもので、プログラムにしたがって動作することで、後述する各機能部を実現する。このプログラムは、コンピュータを情報処理装置として動作又は機能させるプログラムである。
【００２４】
図３は、情報処理装置１の機能的な構成を示すブロック図である。同図に示すように、情報処理装置１は、受付部１０１と、特定部１０２と、出力部１０３とを備える。
【００２５】
受付部１０１は、入力装置４から被験者の身体情報を受付可能に構成される。入力装置４は、キーボードやスキャナ等である。なお、情報処理装置１’の場合には、受付部１０１に相当する機能部は、端末２から身体情報を受け付ける。身体情報は、被験者による主観的評価を含む。この主観的評価は、ＫＯＯＳ（Ｋｎｅｅ  ｉｎｊｕｒｙ  ａｎｄ  Ｏｓｔｅｏａｒｔｈｒｉｔｉｓ  Ｏｕｔｃｏｍｅ  Ｓｃｏｒｅ）のうち日常生活に関する項目のスコアの少なくとも一部を含む。ＫＯＯＳとは、膝外傷および変形性膝関節症転帰スコアと呼ばれる問診事項である。また、被験者の身体情報は、被験者の体格指数（ＢＭＩ：Ｂｏｄｙ  Ｍａｓｓ  Ｉｎｄｅｘ）を含む。この身体情報には、磁気共鳴画像装置による被験者の検査結果を含むようにしてもよい。
【００２６】
特定部は１０２、身体情報に基づいて、被験者の膝に関する健康状態を年齢で表した指標を特定可能に構成される。具体的には、特定部１０２は、フレイルのオッズ比を算出する処理と、オッズ比に基づいてフレイルの発生率を算出する処理と、発生率に基づいてフレイルが発生するまでの年数を算出する処理と、を実行する。なお、特定部１０２が実行する処理の詳細については、後述する。特定部１０２が特定する指標は、例えば、被験者の年齢に年数を加えた値である。つまり、被験者がフレイルになると推定される年齢である。また、指標は、健康寿命から年数を減じた値であってもよい。健康寿命とは、ＷＨＯ（世界保健機関）が提唱するもので、「健康に問題のある期間」とされ、男性７２．１９歳、女性７４．７９歳（Ｈ２８．厚生労働省）とされている。
【００２７】
出力部１０３は、出力装置５に指標を出力する。出力装置５は、例えば、プリンタである。なお、情報処理装置１’の場合には、出力部１０３に相当する機能部は、端末２へ指標を出力する。
【００２８】
３．情報処理装置１の動作
次に、情報処理装置１の動作について説明する。図４は、情報処理装置１の動作の流れを示すアクティビティ図である。
【００２９】
情報処理装置１は、まず、受付部１０１が被験者の身体情報を受け付ける（Ａ１０１）。受付部１０１が受け付ける身体情報は、客観的な情報である被験者のＢＭＩ、ＭＲＩの検査結果の評価と、被験者の主観的な情報であるＫＯＯＳに準じた問診結果である。ただし、ＭＲＩの検査結果は必須ではない。
【００３０】
ここで、受付部１０１が受け付ける主観的な情報について説明する。図５は、問診票の例を示した図である。受付部１０１は、図５に示す問診票に対する被験者の回答を受け付ける。被験者の回答は、検査スタッフが、キーボード等から問診結果を数値で入力してもよく、問診票をスキャナ等から画像として入力し、ＯＣＲ（Ｏｐｔｉｃａｌ  Ｃｈａｒａｃｔｅｒ  Ｒｅｃｏｇｎｉｔｉｏｎ）により数値化してもよい。また、問診票をタブレット等の端末に表示させ、被験者が当該タブレットに対して入力した結果を受け付けるようにしてもよい。
【００３１】
続いて、特定部１０２がオッズ比を算出する（Ａ１０２）。オッズ比とは、フレイルが起きる確率の、フレイルが起きない確率に対する比を意味するものである。フレイルとは、図６に示すように、自立できる状態から要介護状態に移行するまでの中間的な段階である。図６は、フレイルを説明するための図である。
【００３２】
ここで、オッズ比の算出方法を数例説明する。
（例１）
オッズ比＝Ａ・ｓ１＋Ｂ・ｓ２＋Ｃ・ｓ３＋Ｄ      （式１）
例１では、オッズ比の算出に、ＢＭＩと問診結果を用いる。式１中、ｓ１は、ＢＭＩの値、ｓ２は、ＫＯＯＳとは別の問診結果であり、図５に示した問診票のうち、「床に完全に座る動作」、「床から立ち上がる動作」、「正座」、「小走り」、「階段を駆け上がる動作」に対する回答をスコア化したものであり、例えば、「できる」を０、「痛いけどできる」を１、「できない」を２としてスコア化したものである。また、ｓ３は、ＫＯＯＳに準ずる問診結果の一部であり、図５に示した問診票のうち、「階段を降りる時」、「階段を上がる時」、「立っている時」、「床のものを拾う時」、「車の乗り降りの困惑感」、「ベッドから起き上がる時」、「横になっている時」、「浴槽の出入り時」、「椅子に座っている時」に対する回答をスコア化したものである。これらは、ＫＯＯＳのうち、日常生活に関する問診事項であり、例えば、回答の「少し」を０、「ある程度」を１、「とても」を２、「不自由なし」を３、「ほとんどできない」を４としてスコア化したものである。Ａ、Ｂ、Ｃ、Ｄは、予め定めた定数である。
【００３３】
（例２）
オッズ比＝Ｅ・ｓ１＋Ｆ・ｓ３＋Ｇ＋ｓ４＋Ｈ・ｓ５＋Ｉ・ｓ６＋Ｊ・ｓ７＋Ｋ      （式２）
例２では、オッズ比の算出に、ＢＭＩと問診結果、ＭＲＩの検査結果を用いる。式２中、ｓ１は、ＢＭＩの値、ｓ３は、ＫＯＯＳに準ずる問診結果の一部であり、式１で用いたものと同様のものである。また、ｓ４、ｓ５、ｓ６、ｓ７は、それぞれ、ＭＲＩ安定性、ＭＲＩ炎症、ＭＲＩ軟骨、ＭＲＩ半月板のスコアである。ＭＲＩ安定性は、靭帯及び半月板に関するスコアの総点であり、前十字靭帯、後十字靭帯、内側側副靱帯、外側側副靱帯のそれぞれについて、損傷の「なし」を０、「あり」を１とした総和と、半月板損傷と半月板逸脱について「なし」を０、「軽度あり」を１、「あり」を２とした総和とを加えた値である。
【００３４】
ＭＲＩ炎症は、骨嚢胞と膝蓋下脂肪体の炎症の有無で、「なし」を０、「あり」を１とした総和である。ＭＲＩ軟骨は、軟骨損傷の有無で、「なし」を０、「軽度あり」を１、「あり」を２とした総和である。ＭＲＩ半月板は、半月板損傷と半月板逸脱について「なし」を０、「軽度あり」を１、「あり」を２とした総和である。また、Ｅ、Ｆ、Ｇ、Ｈ、Ｉ、Ｊは、予め定めた定数である。
【００３５】
（例３）
オッズ比＝Ｌ・ｓ１＋Ｍ・ｓ３＋Ｎ＋ｓ８＋Ｏ・ｓ９＋Ｐ・ｓ５＋Ｑ・ｓ１０＋Ｒ      （式３）
例３では、オッズ比の算出に、ＢＭＩと問診結果、ＭＲＩの検査結果を用いる。式３中、ｓ１、ｓ２、ｓ５は、式２で用いたものと同様のものである。ｓ８はとｓ９は、それぞれ、ＭＲＩＬＭ、ＭＲＩＭＭであり、ＭＲＩＬＭは、外側半月板スコアの総点であり、ＭＲＩＭＭは、内側半月板スコアの総点である。またあ、ｓ１０は、問診から算出される発生率である。外側半月板スコアは、外側半月板の損傷と逸脱について、それぞれ、「なし」を０、「軽度あり」を１、「あり」を２とした総和であり、内側半月板スコアは、内側半月板の損傷と逸脱について、それぞれ、「なし」を０、「軽度あり」を１、「あり」を２とした総和である。
【００３６】
次に、特定部１０２がフレイルの発生率を算出する（Ａ１０３）。フレイルの発生率は、式４により算出する。
発生率＝１／（１−オッズ比）      （式４）
ただし、算出した発生率が１以上の場合には、発生率を１とし、算出した発生率が０以下の場合には、発生率を０とする。
【００３７】
続いて、特定部１０２がフレイルの発生までの期間を算出する（Ａ１０４）。フレイルの発生までの期間は、式５により算出する。
フレイルになるまでの年齢＝（健康寿命−実年齢）・（１−発生率）      （式５）
【００３８】
そして、特定部１０２は、指標として、ヒザ寿命を算出する（Ａ１０５）。ヒザ寿命は、式６により算出する。
ヒザ寿命＝実年齢＋フレイルまでの年数      （式６）
【００３９】
なお、ヒザ寿命に代えて、ヒザ年齢を算出するようにしてもよい。ヒザ年齢は、例えば、平均的なヒザ寿命の年齢を基準として、式７で算出することができる。
ヒザ年齢＝健康寿命−フレイルまでの年数      （式７）
【００４０】
その後、出力部１０３が、ヒザ寿命等の指標を検査結果として出力する（Ａ１０６）。出力部１０３が出力する検査結果は、例えば、図７に示すようなものとなる。図７は、検査結果の出力例を示した図である。
【００４１】
なお、ここで説明した動作の流れは、一例である。
【００４２】
５．その他
本発明は、次に記載の各態様で提供されてもよい。
前記情報処理装置において、前記身体情報は、前記被験者の体格指数を含む情報処理装置。
前記情報処理装置において、前記身体情報は、磁気共鳴画像装置による前記被験者の検査結果を含む情報処理装置。
前記情報処理装置において、前記主観的評価は、ＫＯＯＳのうち日常生活に関する項目のスコアの少なくとも一部を含む情報処理装置。
前記情報処理装置において、前記特定部は、フレイルのオッズ比を算出する処理と、前記オッズ比に基づいてフレイルの発生率を算出する処理と、前記発生率に基づいてフレイルが発生するまでの年数を算出する処理と、を実行する情報処理装置。
前記情報処理装置において、前記指標は、前記被験者の年齢に前記年数を加えた値である情報処理装置。
前記情報処理装置において、前記指標は、健康寿命から前記年数を減じた値である情報処理装置。
コンピュータを情報処理装置として動作させるプログラムであって、コンピュータを前記情報処理装置として機能させるプログラム。
もちろん、この限りではない。
【符号の説明】
【００４３】
１      ：情報処理装置
１’    ：情報処理装置
２      ：端末
３      ：ネットワーク
４      ：入力装置
５      ：出力装置
１１    ：処理部
１２    ：記憶部
１３    ：一時記憶部
１４    ：外部装置接続部
１５    ：通信部
１６    ：通信バス
１００  ：システム
１０１  ：受付部
１０２  ：特定部
１０３  ：出力部
【要約】
【課題】膝に対する検査の結果を被験者自身で理解しやすい態様で的供することのできる情報処理装置及びプログラムを提供すること。
【解決手段】本発明の一態様によれば、情報処理装置が提供される。この情報処理装置は、受付部と、特定部とを備える。受付部は、被験者の身体情報を受付可能に構成される。身体情報は、被験者による主観的評価を含む。特定部は、身体情報に基づいて、被験者の膝に関する健康状態を年齢で表した指標を特定可能に構成される。
【選択図】図３【図１】
0006963343.tif 000002
【図２】
0006963343.tif 000003
【図３】
0006963343.tif 000004
【図４】
0006963343.tif 000005
【図５】
0006963343.tif 000006
【図６】
0006963343.tif 000007
【図７】
0006963343.tif 000008